(57)【要約】【課題】知られているワイヤ輪アンカーを更に改良し、特別な組み立て品に適合するように改造すること。【解決手段】少なくとも一個の保護スリーブで覆われたロープ輪（１５）は、特に、落石又は雪崩の防護システムに用いられるワイヤロープアンカーの、両方のロープ端（１３、１４）によって、床（１２）に固定され得る。ロープ端（１３、１４）は、接続部材（２０）と共に互いに締め付けられる。この接続部材（２０）は、床（１２）内に固定され得る長手方向要素（２５）と接続するための接続部品（２２）が、ロープ端（１３、１４）に面していない側に設けられている。このようにして、ワイヤロープアンカーは、長手方向要素に相当する従来のアンカーロッドに接続され得る。ドリルパイプは、掘削に続いて床内に残すことが可能である。そして、ワイヤロープアンカーが、雄ネジ部を有するこのドリルパイプにネジ込まれ得る。【選択図】図１
2007107374.tif 000002
【特許請求の範囲】
【請求項１】
ワイヤロープの両方のロープ端（１３、１４）により床（１２）に固定することができ、少なくとも一部分が少なくとも一個の保護スリーブ（１１）によって被覆されているロープ輪（１５）を有する、特に落石又は雪崩の防護システムに用いられるワイヤロープアンカーにおいて、
前記ロープ端（１３、１４）は、接続部材（２０）と共に締め付けられ、該接続部材（２０）は、前記ロープ端（１３、１４）に面していない側に、前記床（１２）に固定された長手方向要素（２５）と直接に又は間接に接続するための接続部品（２２）を備えていることを特徴とするワイヤロープアンカー。
【請求項２】
前記接続部材（２０）には、該接続部材の前面部分（２１）に、前記ロープ端（１３、１４）をそれぞれ１本ずつ収容するための２つの隣接する穴部（２１’）が備えられ、該接続部材は、少なくとも前記穴部（２１’）の領域では柔軟に変形可能であり、前記ロープ端が前記穴部（２１’）に圧入され、前記ロープ端は反作用により永久的に接続されることを特徴とする請求項１に記載のワイヤロープアンカー。
【請求項３】
前記接続部材（２０）は、ロープ圧入部（２１）で、外形が多角形、好ましくは六角形、円形又は楕円形に変形されていることを特徴とする請求項１又は２に記載のワイヤロープアンカー。
【請求項４】
前記接続部品（２２）は、前記ロープ端（１３、１４）に面していない側に、内部雌ネジ部（２２’）を有するナットの形状を採り、前記長手方向要素が固定される前に又は後に、雄ネジ部（２５’）が備えられた該長手方向要素（２５）にネジ止めすることができることを特徴とする請求項１〜３の何れか１項に記載のワイヤロープアンカー。
【請求項５】
前記長手方向要素は、棒状又は埋め込まれたドリルパイプ状であることを特徴とする請求項１〜４の何れか１項に記載のワイヤロープアンカー。
【請求項６】
前記ロープ端（１３、１４）に面していない側に位置する前記接続部品は、少なくとも一本のロープ状の長手方向要素と共に締め付けられることを特徴とする請求項１〜４の何れか１項に記載のワイヤロープアンカー。
【請求項７】
前記接続部材（２０）は、柔軟に変形可能な鋼から成ることを特徴とする請求項１〜６の何れか１項に記載のワイヤロープアンカー。
【請求項８】
前記ロープ輪（１５）の少なくとも一部分を囲う少なくとも一個の前記保護スリーブ（１１）を設けることができ、該保護スリーブは、該保護スリーブの固定に引き続いて、その端部（１１’）により前記床に突出して固定されることを特徴とする請求項１〜７の何れか１項に記載のワイヤロープアンカー。
【請求項９】
幾つかの部品から成る接続部材が設けられ、前記部品の一部が前記ロープ端と共に締め付けられ、残りの分割された一部が前記部品の一部と接続されたことを特徴とする請求項１〜８の何れか１項に記載のワイヤロープアンカー。
【発明の詳細な説明】
【技術分野】
【０００１】
本発明は、ワイヤロープの両方のロープ端により床に固定することができ、少なくとも一部分が少なくとも一個の保護スリーブによって被覆されているロープ輪を有する、特に落石又は雪崩の防護システムに用いられるワイヤロープアンカーに関する。
【背景技術】
【０００２】
特許文献１における一般的なスパイラルワイヤロープアンカーに関して、輪が形成されたロープが、その端部により地面に固定される。このため、ロープの端部は、クリップによって互いに保持される。これらのスパイラルワイヤロープアンカーは、実生活において特に有用である。何故なら、一方では、経済的に比較的有利に製造することが可能で、他方では、例えば、床にコンクリートで固定することで、床に正しく固定されれば、非常に高い牽引力を吸収し、床から突出している輪の部分が所定の角度で曲げられ、それ故、設置された条件で最適な力の流れが可能であるからである。
【０００３】
【特許文献１】欧州特許公開公報  ＥＰ−Ａ−０５５７２４１
【発明の開示】
【発明が解決しようとする課題】
【０００４】
本発明の目的は、これらの知られているワイヤ輪アンカーを更に改良し、特別な組み立て品に適合するように改造することである。
【課題を解決するための手段】
【０００５】
上述の課題は、ワイヤロープのロープ端が接続部材で締め付けられ、この接続部材が、ロープ端に面していない側に、床内に固定された長手方向要素に接続するための接続部品を含む本発明により解決する。
【０００６】
好ましい実施の形態では、接続部材の接続部品は、ロープ端に面していない側に、対応する内部の雌ネジ部を有するナットの形状に形作られる。このことにより、このナットは、同じ長手方向要素が固定される前又は後に、雄ネジ部を有する長手方向要素にネジによって締め付けられる。長手方向要素は、棒状又は埋め込まれたドリルパイプ状に成形される。
【０００７】
本発明では、穴がロープアンカー設置の最初の段階で穴を床に掘削することができる。そして、床の硬さに依存して、取り分け、床が歩くのに安全でなく穴がいつか崩れる可能性がある場合には、床にドリルパイプが残され得る。又は掘削工程に続いて棒を押し込み、固定しても良い。勿論、パイプ状の穴を設けることも可能である。
【発明の効果】
【０００８】
様々な利点が、このことにより得られる。すなわち、ワイヤロープアンカーは、通常の知られているアンカーロッド又はそれにとって替わり得るものにより設置することができる。若しくは、既に述べたように、掘削の後、床にドリルパイプを残し、ロープアンカーをネジ部が設けられたドリルパイプにネジ込むことができる。このように、全ての基礎作業は、ネットの設置作業とは独立して行うことができ、ワイヤアンカーは、固定された長手方向要素に簡単にネジ込み得る。そして、床の中でワイヤアンカーを、コンクリート、モルタル、又は他の充填物で覆うのが好ましい。
【発明を実施するための最良の形態】
【０００９】
以下、発明の実施の形態及び更なる利点を、図面を参照しながら詳述する。
【００１０】
図１は、図示した床１２に固定されたワイヤロープアンカー１０を示す。このアンカーは、特に、落石及び雪崩の防護システムに用いられる。ワイヤロープアンカーは、床１２から突出するロープ輪１５と、床中に固定される両方のロープ端１３、１４とを有するワイヤロープを備えている。ロープ輪１５自体は、保護スリーブ１１によって被覆され、スリーブの両方の端部１１’は、床１２内でロープ端１３、１４に至るまで伸びている。この保護スリーブ１１により、ワイヤロープの腐食が抑制される。加えて、更なるスリーブ１６が設けられても良い。それは、ループ１５が突出する際に、保護スリーブを覆う位置に置かれる。リング１７もまた、ロープ端１３、１４を囲んで置かれ、ワイヤロープアンカー１０の設置深さを指示するものとして機能する。
【００１１】
本実施形態では、ロープ端１３、１４が、接続部材２０と共に互いに締め付けられる。この接続部材２０は、ロープ端１３、１４に面していない側に、床１２内に固定され得る長手方向要素２５に接続するための接続部２２を含む。
【００１２】
図２に示すように、この接続部材２０には、その前面部２１にロープ端１３、１４をそれぞれ１本ずつ収容する２つの隣接した穴部２１’が備えられている。接続部材は、これらの穴部２１’の領域では柔軟に形を整えることが可能であり、それによってロープ端１３、１４は、商業上利用できる水力を利用した圧搾機で穴武に圧入され、永久的な反作用による接続がなされる。穴部２１’の長さは、好ましくはロープ直径の数倍とされ、それによってロープ端が十分堅固に保持される。接続部材２０は、圧入部２１内で、当初の円形の断面から、多角形、好ましくは六角形に外形が整えられる。勿論、この断面形状を異なる外形、例えば円形、楕円形、矩形にしても良い。接続部材２０は、好ましくは柔軟に変形可能な鋼より構成される。
【００１３】
接続部材２０の接続部品２２は、本発明では、ロープ端１３、１４に面していない側に、内部に雌ネジ部を有するナットの形状に形成されている。このようにすると、ワイヤロープアンカー１０は、全体として、雄ネジ部２５’を有する長手方向要素２５にネジ止めされ得る。若しくは、長手方向要素を固定する前に、又は固定した後に、長手方向要素にネジ止めされ得る。長手方向要素２５は、棒又は埋め込まれたドリルパイプの形状である。少なくとも棒の頭の部分には、雄ネジ部が好ましく備えられる。
【００１４】
設置に関して、例えば最初に穴が床１２に掘られる。次いで、図示したように、長手方向要素２５が、穴の中にコンクリートで固められる。次いで、ネットの設置の間に、ワイヤロープアンカー１０は、全体として、雄ネジ部２５’を備える長手方向要素２５にネジ止めされ得る。そして、床の表面に位置するリング１７の位置まで、コンクリート等が満たされる。
【００１５】
図３は、従来の落石防護、又は雪崩防護装置３０のための、本発明のワイヤロープアンカー１０の使用例を示す。この装置は、結合部２７を介して基礎２８に保持される支柱３２と、支持ロープ３４及び保持ロープ３８並びに支柱３２の上端部に取り付けられるネット３１と、を有する。ここでネット３１は、床１２に対してほぼ垂直に取り付けられ、落石等、若しくは落下する雪の塊を安全にキャッチすることができる。
【００１６】
ワイヤロープアンカー１０は、一方で、ネット３１を支持している支持ロープ３４を保持し、他方で床１２に保持ロープ３８を固定している。輪１５は、長手方向要素２５に対して、また床内のワイヤロープアンカー１０の部分に対して、所定の角度に曲げられており、支持ロープ及び保持ロープと略同一面内に伸ばされていることは明かである。関係する搬送ロープ３４、又は保持ロープ３８は、関係する輪１５の周りに、輪なわ３４’又は３８’の形で配置される。
【００１７】
本発明は、上記の実施の形態に関連して十分に述べられている。しかしながら、他の方法でも実現され得る。ロープ端１３、１４に面していない側に位置する接続部材は、少なくとも一つのロープ状の長手方向要素と共に締め付けられ得る。
【００１８】
ロープ輪１５と、床に突出している保護スリーブ１１とを覆っているこの外側のスリーブ１６は、パイプ状の替わりに鉢状であっても良い。それは、輪の上部を鉢の内部に納め、それ故に、この輪にループしたロープ端は、摩耗に対して付加的な保護が与えられる。
【００１９】
接続部材は、原則として幾つかの部品で構成されても良い。この場合には、一部がロープ端と共に締め付けられ、残りの分割された一部が、この一部と接続されても良い。
【００２０】
例えば、もし２つの輪が互いに隣接しているなら、接続部材に幾つかの穴部を設けても良い。ワイヤロープという単語は、恐らく平行ワイヤを有する、或いは殆ど平行ワイヤだけを有するワイヤブレードを含み得る。
【００２１】
順に、長手方向要素は、更にアンカーロッド又は別の長手方向要素のようなものに接続可能である。すなわち、接続部品が接続要素として形成された長手方向要素に接続されて、固定され得る長手方向要素がこの接続要素に接続されても良い。接続要素は、接続部材を有する長手方向要素との間接接続を意味している。
【図面の簡単な説明】
【００２２】
【図１】床に固定された本発明のワイヤロープアンカーの断面図を示す。
【図２】図１のＩＩ−ＩＩ線に沿う接続部材の断面図である。
【図３】落石、又は雪崩よけ装置の側面図である。
【符号の説明】
【００２３】
１０  ワイヤロープアンカー
１１  保護スリーブ
１２  床
１３  ロープ端
１４  ロープ端
１５  ロープ輪
２０  接続部材
２２  接続部品
２５  長手方向要素
【図１】
2007107374.tif 000003
【図２】
2007107374.tif 000004
【図３】
2007107374.tif 000005
【外国語明細書】
1.  Title of Invention
Wire rope anchor, in particular for rockfall or avalanche protection systems
2.  Detailed Description of Invention
2007107374.tif 000006
2007107374.tif 000007
2007107374.tif 000008
2007107374.tif 000009
2007107374.tif 000010
3.  Brief Description of Drawings
Fig. 1 shows a cross-section view of a wire rope anchor of the invention,
which has here been anchored into the floor.
Fig. 2 shows a cross-section view of the wire rope anchor in the area of the
connection piece along the line II-II of Fig.1.
Fig. 3 shows a side view of a rockfall, i.e. avalanche protection.
4.  Description of reference characters
10  wire rope anchor
11  protective sleeve
12  floor
13  rope end
14  rope end
15  rope loop
20  connection piece
22  connection part
25  longitudinal element
2007107374.tif 000011
2007107374.tif 000012
1.  Abstract
2007107374.tif 000013
2.  Representative Drawing
Fig. 1
2007107374.tif 000014
2007107374.tif 000015